(57)【要約】【課題】  予めリモコン装置において操作方法の説明データが記憶されていなくても、リモコン装置の表示画面において操作説明を確認可能とすることにより、操作性の向上を図ることができる。【解決手段】  テレビ３およびエアコン４は、リモコン装置２の操作方法を説明する説明データ３ｆ、４ｆが記憶されたメモリ３ａ、４ａと、説明データ３ｆ、４ｆをリモコン装置２に出力する出力部３ｂ、４ｂと、リモコン装置２からの操作信号を受信する受信部３ｃ、４ｃを有し、リモコン装置２は、テレビ３やエアコン４に対し説明データ３ｆ、４ｆの出力を要求するための操作信号を送信する送信部２ｅと、テレビ３やエアコン４からの説明データ３ｆ、４ｆを入力する入力部２ｆと、入力した説明データ３ｆ、４ｆを表示する表示部２ｅとを有する。【選択図】      図１
2005210598.tif 000002
【特許請求の範囲】
【請求項１】
電気機器を遠隔操作可能なリモコン装置であって、
前記リモコン装置の操作方法を説明する説明データを、通信手段を有する他の電気機器から前記通信手段を介して入力する入力部と、前記入力した説明データを表示する表示部とを有することを特徴とするリモコン装置。
【請求項２】
前記リモコン装置は、複数の電気機器を遠隔操作可能な多機能リモコン装置であることを特徴とする請求項１に記載のリモコン装置。
【請求項３】
電気機器と、前記電気機器を遠隔操作可能なリモコン装置とを有してなり、
前記電気機器は、前記リモコン装置の操作方法を説明する説明データが記憶されたメモリと、前記説明データを前記リモコン装置に出力する出力部と、前記リモコン装置からの前記説明データの出力を要求するための操作信号を受信する受信部を有し、
前記リモコン装置は、前記電気機器に対し前記説明データの出力を要求するための操作信号を送信する送信部と、前記電気機器からの説明データを入力する入力部と、前記入力した説明データを表示する表示部とを有することを特徴とするリモコンシステム。
【請求項４】
前記リモコン装置は、複数の電気機器を遠隔操作可能な多機能リモコン装置であることを特徴とする請求項３に記載のリモコンシステム。
【発明の詳細な説明】
【技術分野】
【０００１】
本発明は、リモコン装置およびリモコンシステムに係り、特にデータを表示可能な表示部を有するリモコン装置、および前記リモコン装置を有するリモコンシステムに関する。
【背景技術】
【０００２】
従来より、テレビやオーディオ、エアコン等多くの電気機器には、これら電気機器を遠隔から操作可能なリモコン装置が付属されており、このようなリモコン装置においては、各電気機器の高度化にともない、その操作方法も複雑化してきている。
【０００３】
このため、電気機器および対応するリモコン装置には、電気機器やリモコン装置の操作方法を説明する取扱説明書が付属されている。また、前記電気機器がテレビ等の表示画面を有するものである場合には、リモコン装置の操作方法の説明データが前記テレビに記憶されており、その操作説明が前記表示画面に表示される電気機器が考えられている。さらには、リモコン装置の操作の容易性を図る観点から、リモコン装置に予めリモコン装置の操作方法の説明データが記憶され、その操作説明がリモコン装置の表示画面に表示されるリモコン装置も考えられている（例えば、特許文献１参照）。
【０００４】
ここで、近年各家庭において各電気機器にそれぞれ対応する多数のリモコン装置が存在するため混乱が生じている。この不具合を解消すべく、１つのリモコン装置によって複数の電気機器に対し遠隔操作可能な多機能のリモコン装置が用いられるようになっている。
【０００５】
しかし、前述の多機能のリモコン装置において操作方法の説明データが予め記憶されている場合には、リモコン装置の表示画面において予め説明データが記憶された特定の電気機器に対応するリモコン装置の操作説明しか表示することができず、新しい電気機器のリモコン装置についての操作説明を表示することができなかった。
【０００６】
また、予め説明データが記憶されているリモコン装置においては、リモコン装置の操作方法の複雑化により、その操作方法に関する多量の説明データを記憶しなければならず、特に多機能のリモコン装置においては、対応する各電気機器についてのリモコン装置の多量の説明データを記憶するためのメモリが必要となってしまっていた。
【０００７】
【特許文献１】特開２００２−１９１０８０号公報
【発明の開示】
【発明が解決しようとする課題】
【０００８】
本発明はこれらの点に鑑みてなされたものであり、予めリモコン装置において操作方法の説明データが記憶されていなくても、リモコン装置の表示画面において操作説明を確認可能とすることにより、操作性の向上を図ることができるリモコン装置およびこのリモコン装置を有するリモコンシステムを提供することを目的とする。
【課題を解決するための手段】
【０００９】
前記目的を達成するため、本発明に係るリモコン装置の特徴は、電気機器を遠隔操作可能なリモコン装置であって、前記リモコン装置の操作方法を説明する説明データを、通信手段を有する他の電気機器から前記通信手段を介して入力する入力部と、前記入力した説明データを表示する表示部とを有する点にある。
【００１０】
また、本発明に係るリモコンシステムの特徴は、電気機器と、前記電気機器を遠隔操作可能なリモコン装置とを有してなり、前記電気機器は、前記リモコン装置の操作方法を説明する説明データが記憶されたメモリと、前記説明データを前記リモコン装置に出力する出力部と、前記リモコン装置からの前記説明データの出力を要求するための操作信号を受信する受信部を有し、前記リモコン装置は、前記電気機器に対し前記説明データの出力を要求するための操作信号を送信する送信部と、前記電気機器からの説明データを入力する入力部と、前記入力した説明データを表示する表示部とを有する点にある。
【００１１】
これら本発明に係るリモコン装置およびリモコンシステムによれば、説明データを、通信手段を有する他の電気機器や対応する電気機器からリモコン装置に入力することにより、リモコン機能の操作説明をリモコン装置の表示部に表示することができる。
【００１２】
さらに、本発明に係るリモコン装置およびリモコンシステムの特徴は、前記リモコン装置が、複数の電気機器を遠隔操作可能な多機能リモコン装置である点にある。
【００１３】
本発明に係る他のリモコン装置およびリモコンシステムによれば、多機能のリモコン装置において予め説明データが記憶されていない新しい電気機器についても、説明データを入力しその操作説明を表示することができので、新しい電気機器に対応することができる。
【発明の効果】
【００１４】
以上述べたように、本発明に係るリモコン装置およびリモコンシステムによれば、リモコン装置に説明データが予め記憶されていなくても、リモコン装置の表示部において操作説明を確認することができ、この表示部でリモコン機能の操作説明を確認しながらリモコン装置を操作することができる。これにより、取扱説明書や電気機器の表示画面等に表示された操作説明を確認しながらリモコン装置を操作する場合と比較して視線の移動回数を少なくすることができ、操作ボタンの押し間違い等も減少させることができ、リモコン装置の操作性の向上を図ることができる。
【００１５】
さらに、表示画面が設けられていない電気機器についても説明データに基づく操作説明を表示部に表示させることができ、また取扱説明書を紛失した場合であっても操作説明を確認することができる。
【発明を実施するための最良の形態】
【００１６】
以下、本発明に係るリモコンシステムの一実施形態を図１および図２を参照して説明する。
【００１７】
図１は、本実施形態に係るリモコンシステムを示す概念図であり、図１に示すように、本実施形態のリモコンシステム１は、複数の電気機器を遠隔操作可能な多機能のリモコン装置２と、前記リモコン装置２からの操作信号によって遠隔操作される電気機器とを有する。ここで、本実施形態においては、前記電気機器としてテレビ３およびエアコン４を用いて説明する。
【００１８】
前記テレビ３および前記エアコン４は、各動作毎に異なる操作信号を受信することにより、例えばテレビ３であればチャンネルの選択や音量の調整、またエアコン４であれば冷房や暖房等の機能の選択や温度調整等の各動作を行うようになっている。
【００１９】
前記テレビ３および前記エアコン４のメモリ３ａ、４ａには、テレビ３やエアコン４の操作説明、さらにはテレビ３およびエアコン４に対応するためのリモコン装置２のうちテレビ３やエアコン４に対応するリモコン機能の操作説明の説明データ３ｆ、４ｆがそれぞれ記憶されている。
【００２０】
前記テレビ３および前記エアコン４には、リモコン装置２に対して赤外線コードを用いて説明データ３ｆ、４ｆを出力する出力部３ｂ、４ｂ、およびリモコン装置２からの操作信号を受信する受信部３ｃ、４ｃが設けられている。
【００２１】
そして、テレビ３およびエアコン４のＣＰＵ３ｄ、４ｄは、メモリ３ａ、４ａから説明データ３ｆ、４ｆを取り出してその説明データ３ｆ、４ｆを出力部３ｂ、４ｂからリモコン装置２に出力し、また受信部３ｃ、４ｃにおいてリモコン装置２からの操作信号を受信したときは、テレビ３およびエアコン４がこの操作信号に基づく各動作を行うように制御するようになっている。
【００２２】
リモコン装置２のメモリ２ａには、テレビ３およびエアコン４を操作するための操作データ３ｅ、４ｅが記憶されている。また、前記リモコン装置２は、テレビ３およびエアコン４から入力した説明データ３ｆ、４ｆを一時記憶するためのメモリ２ｈを有している。
【００２３】
リモコン装置２には、リモコン装置２において操作データ３ｅ、４ｅを有する対応可能な電気機器の種類（本実施形態においては、テレビ３、エアコン４）や、操作データ３ｅ、４ｅに基づいてテレビ３およびエアコン４の各動作を表示するための液晶表示装置等からなる表示部２ｂが設けられている。また、前記表示部２ｂには、テレビ３やエアコン４から入力した説明データ３ｆ、４ｆに基づき、テレビ３、エアコン４の操作説明、およびテレビ３やエアコン４に対応するリモコン機能の操作説明も表示されるようになっている。
【００２４】
リモコン装置２には、テレビ３またはエアコン４に対する所望の動作を選択するための操作部としての操作ボタン２ｃやポインティングデバイス２ｄが設けられている。そして、このリモコン装置２は、操作ボタン２ｃやポインティングデバイス２ｄを操作することによって、表示部２ｂに表示されたテレビ３またはエアコン４の各動作を選択することができるようになっている。さらに、リモコン装置２は、操作ボタン２ｃ等を操作することにより、テレビ３やエアコン４に対して説明データ３ｆ、４ｆの出力を要求する操作を行うことができるようになっている。
【００２５】
リモコン装置２には、操作ボタン２ｃ等によって選択された動作の操作信号を、赤外線やＲＦ（Radio Frequency ）、Ｂｌｕｅｔｏｏｔｈ等の無線通信手段によってテレビ３またはエアコン４に送信する送信部２ｅと、テレビ３およびエアコン４の出力部３ｂ、４ｂから赤外線コードを用いて出力された説明データ３ｆ、４ｆを入力する入力部２ｆとが設けられている。
【００２６】
ここで、本実施形態においては、テレビ３およびエアコン４の出力部３ｂ、４ｂは、赤外線コードを用いて前記説明データ３ｆ、４ｆをリモコン装置２に出力しているが、これに限定されるものではない。例えば、ＲＦやＢｌｕｅｔｏｏｔｈ等の他の無線通信手段によってリモコン装置２に出力してもよく、さらにテレビ３およびエアコン４の出力部３ｂ、４ｂとリモコン装置２の入力部２ｆとをＵＳＢケーブル等によって接続することにより、有線通信手段によって前記説明データ３ｆ、４ｆをリモコン装置２に出力してもよい。
【００２７】
そして、リモコン装置２のＣＰＵ２ｇは、入力部２ｆにおいてテレビ３またはエアコン４から説明データ３ｆ、４ｆを入力したときは、この説明データ３ｆ、４ｆをメモリ２ｈに一時的にまたは継続して記憶させるようになっている。
【００２８】
さらに、リモコン装置２のＣＰＵ２ｇは、操作ボタン２ｃやポインティングデバイス２ｄによってテレビ３またはエアコン４の各動作が選択されると、選択された動作の操作信号を送信部２ｅからテレビ３またはエアコン４に送信するようになっており、また説明データ３ｆ、４ｆの出力を要求するための操作信号も、送信部２ｅからテレビ３またはエアコン４に送信するようになっている。
【００２９】
次に、本実施形態の作用について説明する。
【００３０】
テレビ３やエアコン４に対応するリモコン機能の使用説明をリモコン装置２の表示部２ｂに表示させる場合、まずリモコン装置２の操作ボタン２ｃまたはポインティングデバイス２ｄによって、説明データ３ｆ、４ｆの出力を要求するための操作を行う。
【００３１】
たとえば、図２（ａ）に示すような表示部２ｂにおいて表示された本リモコン装置２によって操作可能なテレビ３またはエアコン４のうち何れの使用説明を表示させるのか操作ボタン２ｃ等を用いて選択する。そして、図２（ｂ）に示すようなテレビ３における各動作の表示、または図２（ｃ）に示すようなエアコン４における各動作の表示において、操作ボタン２ｃ等を用いて使用説明を表示させるための操作を選択する。
【００３２】
すると、リモコン装置２のＣＰＵ２ｇは、送信部２ｅからテレビ３やエアコン４に対して説明データ３ｆ、４ｆの出力要求のための操作信号を送信する。
【００３３】
続いて、テレビ３またはエアコン４のＣＰＵ３ｄ、４ｄは、前記説明データ３ｆ、４ｆの出力要求のための操作信号を受信部３ｃ、４ｃにおいて受信すると、メモリ３ａ、４ａから説明データ３ｆ、４ｆを取り出し、この説明データ３ｆ、４ｆを出力部３ｂ、４ｂから無線操作手段によりリモコン装置２に出力する。
【００３４】
さらに、リモコン装置２のＣＰＵ２ｇは、テレビ３やエアコン４から出力された説明データ３ｆ、４ｆを入力部２ｆにおいて入力し、この説明データ３ｆ、４ｆをメモリ２ｈにおいて記憶する。
【００３５】
そして、リモコン装置２のＣＰＵ２ｇは、メモリ２ｈから説明データ３ｆ、４ｆを取り出し、この説明データ３ｆ、４ｆに基づくテレビ３やエアコン４の操作説明を表示部２ｂにおいて表示する。
【００３６】
本実施形態によれば、テレビ３およびエアコン４に記憶されている説明データ３ｆ、４ｆを、リモコン装置２に入力することにより、テレビ３、エアコン４の操作説明、およびこのテレビ３やエアコン４に対応するリモコン機能の操作説明をリモコン装置２の表示部２ｂに表示することができる。
【００３７】
したがって、リモコン装置２に各説明データ３ｆ、４ｆを予め記憶されていなくても、リモコン装置２の表示部２ｂにおいて操作説明を確認することができる。
【００３８】
また、多機能のリモコン装置２において予め説明データが記憶されていない新しい電気機器についての操作説明も表示することができので、新しい電気機器に対応することができる。
【００３９】
さらに、リモコン装置２の表示部２ｂに操作説明を表示させ、この表示部２ｂでリモコン機能の操作説明を確認しながらリモコン装置２を操作することができる。このため、取扱説明書やテレビ３の表示画面等に表示された操作説明を確認しながらリモコン装置２を操作する場合と比較して視線の移動回数を少なくすることができ、また操作ボタン２ｃの押し間違い等も減少させることができるので、これにより、リモコン装置２の操作性の向上を図ることができる。
【００４０】
さらにまた、エアコン４等の表示画面が設けられていない電気機器についても説明データ４ｆに基づく操作説明を表示部２ｂに表示させることができ、また取扱説明書を紛失した場合であっても操作説明を確認することができる。
【００４１】
なお、本発明は前記実施形態に限定されるものではなく、必要に応じて種々変更することが可能である。
【００４２】
例えば、リモコン装置２について、対応する電気機器から説明データ３ｆ、４ｆを入力するものを用いて説明したが、これに限定されるものではない。リモコン装置２の他の一例としては、図３に示すように、ＵＳＢケーブル５等を介してパソコン６に接続可能であって、インターネットからダウンロードした必要なリモコン機能の説明データ７を入力部２ｆにおいて入力し、説明データ７をメモリ２ｈにおいて記憶し、説明データ７に基づく操作説明を表示部２ｂにおいて表示するものであってもよい。
【図面の簡単な説明】
【００４３】
【図１】本発明に係るリモコンシステムの一実施形態を示す概念図
【図２】（ａ）は図１のリモコンシステムに用いられるリモコン装置の表示部における一表示画面を示す概念図、（ｂ）は（ａ）のリモコン装置の表示部における他の表示画面を示す概念図、（ｃ）は（ａ）のリモコン装置の表示部における他の表示画面を示す概念図
【図３】本発明に係る他のリモコン装置の一実施形態を示す概念図
【符号の説明】
【００４４】
１  リモコンシステム
２  リモコン装置
２ｂ  表示部
２ｃ  操作ボタン
２ｄ  ポインティングデバイス
２ｅ  送信部
２ｆ  入力部
３  テレビ
３ｂ  出力部
３ｃ  受信部
３ｆ  説明データ  
４  ＤＶＤ
４ｂ  出力部
４ｃ  受信部
４ｆ  説明データ
【図１】
2005210598.tif 000003
【図２】
2005210598.tif 000004
【図３】
2005210598.tif 000005